(57)【特許請求の範囲】
【請求項１】
機器間通信（Ｍ２Ｍ）を支援する無線接続ネットワークにおいてアイドルモードのＭ２Ｍ端末がネットワークリエントリー過程を行う方法であって、前記方法は、
グループ代表者（ＧＤ）の選択と関連した情報を基地局から受信することであって、前記グループ代表者（ＧＤ）の選択と関連した情報は、ＧＤの選択基準、前記選択基準の優先順位、及び前記各選択基準のしきい値のうちの少なくとも１つを含み、前記選択基準は、供給電力のタイプ、バッテリー残量、リンク品質、端末の位置のうちの少なくとも１つを含む、ことと、
レンジング要請に対する応答を前記基地局から受信することであって、前記レンジング要請は、Ｍ２Ｍ端末グループ内の複数のＭ２Ｍ端末のうち、前記ＧＤの選択と関連した情報に基づいて前記ＧＤとして選択されるＭ２Ｍ端末によって伝送される、ことと、
前記受信された応答に基づいてネットワークリエントリー過程を行うことと
を含む、方法。
【請求項２】
前記Ｍ２Ｍ端末は、前記Ｍ２Ｍ端末の各々の状態値に基づいて前記基地局によって前記ＧＤとして選択され、
前記Ｍ２Ｍ端末の各々の状態値は、前記ＧＤの選択と関連した情報に対応し、前記Ｍ２Ｍ端末の各々によって伝送され、
前記Ｍ２Ｍ端末は、前記Ｍ２Ｍ端末グループに対するレンジング情報を受信する、請求項１に記載の方法。
【請求項３】
前記グループ代表者（ＧＤ）の選択と関連した情報は、ＡＡＩ−ＳＣＤメッセージを介して受信される、請求項１に記載の方法。
【請求項４】
前記Ｍ２Ｍ端末の各々の状態値は、ＡＡＩ−ＲＮＧ−ＲＥＱメッセージ、ＡＡＩ−ＳＢＣ−ＲＥＱメッセージ、またはＡＡＩ−ＲＥＧ−ＲＥＱメッセージを介して伝送される、請求項２に記載の方法。
【請求項５】
前記ＧＤとして選択される前記Ｍ２Ｍ端末は、ＡＡＩ−ＲＮＧ−ＲＳＰメッセージ、ＡＡＩ−ＳＢＣ−ＲＳＰメッセージ、またはＡＡＩ−ＲＥＧ−ＲＳＰメッセージを介して前記Ｍ２Ｍ端末グループに対する前記レンジング情報を受信する、請求項２に記載の方法。
【請求項６】
前記Ｍ２Ｍ端末は、前記ＧＤの選択と関連した前記受信された情報に基づいてＧＤ機能を行うように判断し、
前記Ｍ２Ｍ端末は、前記判断された結果値を前記基地局に伝送し、前記Ｍ２Ｍ端末グループに対するレンジング情報を受信する、請求項１に記載の方法。
【請求項７】
前記ＧＤとして選択される前記Ｍ２Ｍ端末によって伝送される前記レンジング要請は、前記基地局によって割り当てられたレンジングコードである、請求項１に記載の方法。
【請求項８】
前記レンジング要請に対する応答は、ＡＡＩ−ＲＮＧ−ＡＣＫメッセージを介して伝送される、請求項１に記載の方法。
【請求項９】
前記レンジング要請に対する応答は、ｓｕｃｃｅｓｓ、ａｂｏｒｔ、及びｃｏｎｔｉｎｕｅのうちの１つのレンジング状態を含む、請求項８に記載の方法。
【請求項１０】
前記Ｍ２Ｍ端末グループに対する特定イベントを感知したとき、タイマーを始めることをさらに含み、
前記ネットワークリエントリー過程は、前記タイマーの満了前に前記レンジング要請に対する応答を受信する場合に、前記応答に基づいて行われる、請求項１に記載の方法。
【請求項１１】
機器間通信（Ｍ２Ｍ）を支援する無線接続ネットワークの端末であって、前記端末は、
外部へ及び／または外部から無線信号を伝送及び／または受信するように構成された送受信部と、
前記送受信部と連結された制御部と、
を備え、
前記制御部は、
グループ代表者（ＧＤ）の選択と関連した情報を基地局から受信することであって、前記グループ代表者（ＧＤ）の選択と関連した情報は、ＧＤの選択基準、前記選択基準の優先順位、及び前記各選択基準のしきい値のうちの少なくとも１つを含み、前記選択基準は、供給電力のタイプ、バッテリー残量、リンク品質、端末の位置のうちの少なくとも１つを含む、ことと、
レンジング要請に対する応答を前記基地局から受信することであって、前記レンジング要請は、Ｍ２Ｍ端末グループ内の複数のＭ２Ｍ端末のうち、前記ＧＤの選択と関連した情報に基づいて前記ＧＤとして選択されるＭ２Ｍ端末によって伝送される、ことと、
前記レンジング要請に対する前記受信された応答に基づいてネットワークリエントリー過程を行うことと
を行うように構成されている、端末。
【請求項１２】
前記制御部は、前記グループ代表者（ＧＤ）の選択と関連した前記受信された情報に対応する前記端末の状態値を前記基地局に伝送するように前記送受信部を制御する、請求項１１に記載の端末。
【請求項１３】
前記グループ代表者（ＧＤ）の選択と関連した情報は、ＡＡＩ−ＳＣＤメッセージを介して伝送される、請求項１２に記載の端末。
【請求項１４】
前記制御部は、前記受信された情報に基づいてＧＤ機能を行うか否かを判断し、前記判断された結果値を前記基地局に伝送するように前記送受信部を制御する、請求項１１に記載の端末。
【請求項１５】
前記ＧＤとして選択される前記Ｍ２Ｍ端末によって伝送される前記レンジング要請は、前記基地局によって割り当てられたレンジングコードである、請求項１１に記載の端末。
【請求項１６】
前記レンジング要請に対する応答は、ＡＡＩ−ＲＮＧ−ＡＣＫメッセージを介して伝送される、請求項１１に記載の端末。
【発明の詳細な説明】
【技術分野】
【０００１】
本明細書は、Ｍ２Ｍ端末のアイドルモード動作方法及びＭ２Ｍ端末に関し、より具体的には、Ｍ２Ｍ  ＧＤ（Ｇｒｏｕｐ  Ｄｅｌｅｇａｔｅ）を用いたネットワークリエントリー方法及びその装置に関する。
【背景技術】
【０００２】
機器間通信（Ｍ２Ｍ  Ｃｏｍｍｕｎｉｃａｔｉｏｎ，  ＭａｃｈｉｎｅＴｙｐｅ  Ｃｏｍｍｕｎｉｃａｔｉｏｎ）
以下において、機器間通信（Ｍ２Ｍ  Ｃｏｍｍｕｎｉｃａｔｉｏｎ，Ｍａｃｈｉｎｅ  Ｔｙｐｅ  Ｃｏｍｍｕｎｉｃａｔｉｏｎ）について簡略に説明する。
【０００３】
機器間通信とは、表現どおり、電子装置と電子装置との間の通信を意味する。すなわち、事物間の通信を意味する。一般に、電子装置間の有線または無線通信や、人が制御する装置と機械との間の通信を意味するが、電子装置と電子装置との間、すなわち、機器間無線通信を特に称する意味として使用される。また、セルラーネットワークで使用されるＭ２Ｍ端末等は、一般的な端末等より性能や能力が劣る。
【０００４】
セル内には多くの端末が存在し、端末等は、端末のｔｙｐｅ、ｃｌａｓｓ、ｓｅｒｖｉｃｅ  ｔｙｐｅなどによって互いに区分され得る。
【０００５】
一例として、端末等の動作タイプによって、ＨＴＣ（Ｈｕｍａｎ  ｔｙｐｅ  ｃｏｍｍｕｎｉｃａｔｉｏｎ）とＭＴＣ（Ｍａｃｈｉｎｅ  ｔｙｐｅ  ｃｏｍｍｕｎｉｃａｔｉｏｎ）のための端末に大別することができる。前記ＭＴＣは、Ｍ２Ｍ端末間の通信を含むことができる。ここで、ＨＴＣは、Ｈｕｍａｎによってｓｉｇｎａｌのｔｒａｎｓｍｉｓｓｉｏｎが決定されて信号を送受信することを意味し、ＭＴＣは、ｈｕｍａｎによる介入無しで各端末が自らイベント発生により或いは周期的にｓｉｇｎａｌをｔｒａｎｓｍｉｓｓｉｏｎすることを意味する。
【０００６】
また、機器間通信（Ｍ２Ｍ  Ｃｏｍｍｕｎｉｃａｔｉｏｎまたはｍａｃｈｉｎｅ  ｔｙｐｅ  ｃｏｍｍｕｎｉｃａｔｉｏｎ）が考慮されれば、全体的な端末の数は急激に増加することができる。Ｍ２Ｍ端末等は、支援するｓｅｒｖｉｃｅに応じて次のような特性を有することができる。
【０００７】
１．セル内の複数の端末
２．少ないデータ量
３．低い伝送頻度数（周期性を有することもできる）
４．制限された数のデータ特性
５．時間遅延に敏感でない
６．Ｌｏｗ  ｍｏｂｉｌｉｔｙを有するか、固定されている
また、機器間通信は、保護接続及び監視、追跡及び発見、公共安全（緊急状況、災難）、支払い（自販機、チケット機器、パーキングメータ）、ヘルスケア、遠隔調整、スマートメータなどのような様々な分野で使用され得る。
【０００８】
アイドルモード（Ｉｄｌｅ  Ｍｏｄｅ）
アイドルモード（ｉｄｌｅ  ｍｏｄｅ）は、端末が広範な地域にわたって複数の基地局がある無線リンク環境を徘徊しても、特定基地局に登録無しで周期的に下向きリンクブロードキャスト（ｂｒｏａｄｃａｓｔ）メッセージを受信できるメカニズムである。
【０００９】
アイドルモードは、ハンドオーバー（ｈａｎｄｏｖｅｒ；ＨＯ）だけでなく、全ての正常動作（ｎｏｒｍａｌ  ｏｐｅｒａｔｉｏｎ）を停止し、所定区間のみでブロードキャストメッセージであるページングメッセージ（ｐａｇｉｎｇ  ｍｅｓｓａｇｅ）を受信できるように下向きリンク同期化（ｄｏｗｎｌｉｎｋ  ｓｙｎｃｈｒｏｎｉｚａｔｉｏｎ）のみを合わせた状態である。ページングメッセージは、端末にページング動作（ｐａｇｉｎｇ  ａｃｔｉｏｎ）を指示するメッセージである。例えば、ページング動作には、レンジング実行、ネットワーク再進入（ｎｅｔｗｏｒｋ  ｒｅｅｎｔｒｙ）などがある。
【００１０】
アイドルモードは、端末により開始されるか、基地局により開始されることができる。すなわち、端末は、登録解除要請（ＤＲＥＧ−ＲＥＱ）メッセージを基地局に伝送し、これに対する応答として登録解除応答（ＤＲＥＧ−ＲＳＰ）メッセージを基地局から受信することにより、アイドルモードに進入することができる。また、基地局が端末に非要請登録解除応答（ＤＲＥＧ−ＲＳＰ）メッセージまたは登録解除命令（ＤＲＥＧ−ＣＭＤ）メッセージを伝送することにより、アイドルモードに進入することができる。
【００１１】
アイドルモードにおいて端末が利用可能区間（ＡｖａｉｌａｂｌｅＩｎｔｅｒｖａｌ：ＡＩ）の間、自分に該当するページングメッセージ（ｐａｇｉｎｇ  ｍｅｓｓａｇｅ）を受信する場合、基地局とネットワークエントリー過程によって連結モード（ｃｏｎｎｅｃｔｅｄ  ｍｏｄｅ）に切り換えてデータを送受信する。
【００１２】
レンジング（ｒａｎｇｉｎｇ）
ユーザ端末機は、ネットワークに接続するとき、基地局とレンジング過程を経る。前記レンジング過程は、ユーザ端末機と基地局との間の「ｔｉｍｅ  ｏｆｆｓｅｔ」、「ｆｒｅｑｕｅｎｃｙ  ｏｆｆｓｅｔ」などを調節し、管理情報（ｍａｎａｇｅｍｅｎｔ  ｉｎｆｏｒｍａｔｉｏｎ）のような情報を交換する過程である。ユーザ端末機は、このようなレンジング過程によって該当ネットワークに接続することができ、ハンドオーバー手順によって目的基地局（ｔａｒｇｅｔ  ＢＳ）へ移動するときにもレンジング過程を行う。
【００１３】
また、上記通信システムにおいてユーザ端末機の電力低減方案として提示するアイドルモードから正常動作（ｎｏｒｍａｌ  ｏｐｅｒａｔｉｏｎ）モードへの遷移の際、正常動作モードでの動作のために遷移時点に最善の基地局を選択してネットワーク接続を試みなければならないが、このときにもレンジング過程が実行される。このようにレンジング過程は様々な目的のために実行される。
【００１４】
レンジング過程の手順は一般的にコードレンジング（ｃｏｄｅ  ｒａｎｇｉｎｇ）とＲＮＧ−ＲＥＱメッセージレンジングとに区別することができ、コードレンジングのみ単独的に実行されることができ、コードレンジングとＲＮＧ−ＲＥＱメッセージレンジングとが順次結合されて実行されることもできる。
【００１５】
まず、コードレンジングについて説明すれば、ユーザ端末機が特定ＣＤＭＡコードを伝送し、これを感知した基地局がＲＮＧＲＳＰメッセージで応答する過程からなる。基地局は、自分が感知したＣＤＭＡコードインデックスに対して当該ユーザ端末機の「ｔｉｍｅ  ｏｆｆｓｅｔ」、「ｆｒｅｑｕｅｎｃｙ  ｏｆｆｓｅｔ」及び電力調整が必要であるかを判断し、その結果をＲＮＧ−ＲＳＰメッセージによって応答する。ユーザ端末機は、このようなＲＮＧ−ＲＳＰメッセージ受信によって自分が試みたコードレンジングの成功可否を判断し、必要なオフセット調整を行う。
【００１６】
ＣＤＭＡコードは、ＣＤＭＡコードインデックスに区別され、ユーザ端末機は、レンジング動作の目的によって特定範囲のＣＤＭＡコードを使用しなければならない。基地局は、ユーザ端末機が伝送したＣＤＭＡコードインデックスにしたがって当該ユーザ端末機のレンジング過程目的を把握した後、各目的に符合する支援を行う。
【００１７】
基地局が伝送するＵＣＤ（Ｕｐｌｉｎｋ  ｃｈａｎｎｅｌ  ｄｅｓｃｒｉｐｔｏｒ）メッセージには、当該基地局が支援するＣＤＭＡコードインデックスの範囲を知らせるパラメータが含まれている。ＩＥＥＥ  ８０２．１６ｅ規格は次のような情報をＵＣＤメッセージに含んでいる。ＵＣＤメッセージは、基地局が各ユーザ端末機の上向きリンク領域をＵＬ−ＭＡＰを介して知らせるときに使用し、ＵＩＵＣ（Ｕｐｌｉｎｋ  Ｉｎｔｅｒｖａｌ  Ｕｓａｇｅコード）という情報を利用する。各ユーザ端末機は、このようなＵＩＵＣ情報を介して自分に割り当てられた上向きリンク領域に適用すべき変調方式／チャネルエンコーディング方式を分かることができる。ＵＣＤメッセージは、ＵＩＵＣ値と変調方式／チャネルエンコーディング方式が写像されている情報を含む。また、ＵＣＤ情報には「Ｉｎｉｔｉａｌレンジング」、「ｐｅｒｉｏｄｉｃレンジング」、「ｂａｎｄｗｉｄｔｈ  ｒｅｑｕｅｓｔ」、「ハンドオーバー」のような動作に使用されるべきＣＤＭＡコード範囲が含まれている。
【発明の概要】
【発明が解決しようとする課題】
【００１８】
本明細書は、Ｍ２Ｍグループに属したＭ２Ｍ端末等が各Ｍ２Ｍグループに対するレンジング過程を行う方法を提案する。また、上記方法のために、各Ｍ２Ｍグループの代表を選択する過程を提案する。
【課題を解決するための手段】
【００１９】
本発明の一態様によれば、機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続ネットワークでアイドルモード（Ｉｄｌｅ  ｍｏｄｅ）のＭ２Ｍ端末等がネットワークリエントリー（Ｎｅｔｗｏｒｋ  ｒｅｅｎｔｒｙ）過程を行う方法が提示される。前記方法は、Ｍ２Ｍグループ代表者（Ｇｒｏｕｐ  Ｄｅｌｅｇａｔｅ；ＧＤ）の選択と関連した情報を基地局から受信するステップと、レンジング要請に対する応答を前記基地局から受信するステップとを含むことができる。前記レンジング要請は、Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末により伝送され得る。前記方法は、前記受信した応答に基づいてネットワークリエントリー（Ｎｅｔｗｏｒｋ  ｒｅｅｎｔｒｙ）手順を行うステップをさらに含むことができる。
【００２０】
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、前記各Ｍ２Ｍ端末の状態値に基づいて前記基地局により選択され得る。このとき、前記各Ｍ２Ｍ端末の状態値は、前記受信したＧｒｏｕｐ  Ｄｅｌｅｇａｔｅ（ＧＤ）の選択と関連した情報に対応し得る。前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、前記Ｍ２Ｍグループに対するレンジング情報を受信することができる。
【００２１】
前記Ｇｒｏｕｐ  Ｄｅｌｅｇａｔｅ（ＧＤ）の選択と関連した情報を前記基地局から受信するステップは、ＡＡＩ−ＳＣＤメッセージを介して前記Ｇｒｏｕｐ  Ｄｅｌｅｇａｔｅ（ＧＤ）の選択と関連した情報を受信するステップでありうる。
【００２２】
前記Ｇｒｏｕｐ  Ｄｅｌｅｇａｔｅ（ＧＤ）の選択と関連した情報は、ＧＤの選択基準、前記選択基準の優先順位、及び前記各選択基準のしきい値のうち１つ以上含むことができる。前記選択基準は、供給電力のタイプ、バッテリー残量、リンク品質、端末の位置のうち１つ以上を含むことができる。
【００２３】
前記各Ｍ２Ｍ端末の状態値は、ＡＡＩ−ＲＮＧ−ＲＥＱメッセージ、ＡＡＩ−ＳＢＣ−ＲＥＱメッセージ、またはＡＡＩ−ＲＥＧ−ＲＥＱメッセージを介して伝送され得る。
【００２４】
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、ＡＡＩ−ＲＮＧ−ＲＳＰメッセージ、ＡＡＩ−ＳＢＣ−ＲＳＰメッセージ、またはＡＡＩ−ＲＥＧ−ＲＳＰメッセージを介して前記Ｍ２Ｍグループに対するレンジング情報を受信することができる。
【００２５】
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、前記受信したＧｒｏｕｐ  Ｄｅｌｅｇａｔｅ（ＧＤ）の選択と関連した情報に基づいてＧＤ機能の実行可否を判断した端末でありうる。前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、前記判断した結果値を前記基地局に伝送し、前記基地局から前記Ｍ２Ｍグループに対するレンジング情報を受信することができる。
【００２６】
前記ＧＤで選択された端末が伝送するレンジング（ｒａｎｇｉｎｇ）要請は、前記基地局から割り当てられたレンジングコードでありうる。
【００２７】
前記レンジング要請に対する応答は、ＡＡＩ−ＲＮＧ−ＡＣＫメッセージを介して伝送され得る。
【００２８】
前記レンジング要請に対する応答は、ｓｕｃｃｅｓｓ、ａｂｏｒｔ、またはｃｏｎｔｉｎｕｅのうち１つのレンジング状態を含むことができる。
【００２９】
前記方法は、前記Ｍ２Ｍグループに対する特定イベントを感知したとき、タイマーを始めるステップをさらに含むことができる。前記ネットワークリエントリーは、前記タイマーの満了前に前記レンジング要請に対する応答を受信する場合に実行され得る。
【００３０】
本発明の他の態様によれば、機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続ネットワークの端末が提供される。前記端末は、外部と無線信号を送受信するための送受信部と、前記送受信部と連結される制御部とを備えることができる。
【００３１】
前記制御部は、Ｍ２Ｍグループ代表者（Ｇｒｏｕｐ  Ｄｅｌｅｇａｔｅ；ＧＤ）の選択と関連した情報を基地局から受信するように前記送受信部を制御し、レンジング要請に対する応答を前記基地局から受信するように前記送受信部を制御することができる。このとき、前記レンジング要請は、Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末により伝送され得る。前記制御部は、前記受信した応答に基づいてネットワークリエントリー（Ｎｅｔｗｏｒｋ  ｒｅｅｎｔｒｙ）手順を行うように前記送受信部を制御することもできる。
【００３２】
前記制御部は、前記受信したＧｒｏｕｐ  Ｄｅｌｅｇａｔｅ（ＧＤ）の選択と関連した情報に対応する前記端末の状態値を前記基地局に伝送するように前記送受信部を制御することができる。
【００３３】
前記Ｇｒｏｕｐ  Ｄｅｌｅｇａｔｅ（ＧＤ）の選択と関連した情報は、ＡＡＩ−ＳＣＤメッセージを介して伝送されることができる。
【００３４】
前記制御部は、前記受信した情報に基づいてＧＤ機能の実行可否を判断することができ、前記判断した結果値を前記基地局に伝送するように前記送受信部を制御することができる。
【００３５】
前記ＧＤで選択されたＭ２Ｍ端末が伝送するレンジング（ｒａｎｇｉｎｇ）要請は、前記基地局から割り当てられたレンジングコードでありうる。
【００３６】
前記レンジング要請に対する応答は、ＡＡＩ−ＲＮＧ−ＡＣＫメッセージを介して伝送され得る。
本願明細書は、例えば、以下の項目も提供する。
（項目１）
機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続ネットワークでアイドルモード（Ｉｄｌｅ  ｍｏｄｅ）のＭ２Ｍ端末等がネットワークリエントリー（Ｎｅｔｗｏｒｋ  ｒｅｅｎｔｒｙ）過程を行う方法であって、
Ｍ２Ｍグループ代表者（Ｇｒｏｕｐ  Ｄｅｌｅｇａｔｅ；ＧＤ）の選択と関連した情報を基地局から受信するステップと、
レンジング要請に対する応答を前記基地局から受信するステップと、
前記レンジング要請は、Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末により伝送され、
前記受信した応答に基づいてネットワークリエントリー（Ｎｅｔｗｏｒｋ  ｒｅｅｎｔｒｙ）手順を行うステップと、
を含むことを特徴とする方法。
（項目２）
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、
前記各Ｍ２Ｍ端末の状態値に基づいて前記基地局により選択され、
前記各Ｍ２Ｍ端末の状態値は、前記受信したＧｒｏｕｐ  Ｄｅｌｅｇａｔｅ（ＧＤ）の選択と関連した情報に対応し、
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、前記Ｍ２Ｍグループに対するレンジング情報を受信することを特徴とする項目１に記載の方法。
（項目３）
前記Ｇｒｏｕｐ  Ｄｅｌｅｇａｔｅ（ＧＤ）の選択と関連した情報を前記基地局から受信するステップは、
ＡＡＩ−ＳＣＤメッセージを介して前記Ｇｒｏｕｐ  Ｄｅｌｅｇａｔｅ（ＧＤ）の選択と関連した情報を受信するステップであることを特徴とする項目１に記載の方法。
（項目４）
前記Ｇｒｏｕｐ  Ｄｅｌｅｇａｔｅ（ＧＤ）の選択と関連した情報は、
ＧＤの選択基準、前記選択基準の優先順位、及び前記各選択基準のしきい値のうち１つ以上含み、
前記選択基準は、供給電力のタイプ、バッテリー残量、リンク品質、端末の位置のうち１つ以上を含むことを特徴とする項目１に記載の方法。
（項目５）
前記各Ｍ２Ｍ端末の状態値は、
ＡＡＩ−ＲＮＧ−ＲＥＱメッセージ、ＡＡＩ−ＳＢＣ−ＲＥＱメッセージ、またはＡＡＩ−ＲＥＧ−ＲＥＱメッセージを介して伝送されることを特徴とする項目２に記載の方法。
（項目６）
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、
ＡＡＩ−ＲＮＧ−ＲＳＰメッセージ、ＡＡＩ−ＳＢＣ−ＲＳＰメッセージ、またはＡＡＩ−ＲＥＧ−ＲＳＰメッセージを介して前記Ｍ２Ｍグループに対するレンジング情報を受信することを特徴とする項目２に記載の方法。
（項目７）
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、前記受信したＧｒｏｕｐ  Ｄｅｌｅｇａｔｅ（ＧＤ）の選択と関連した情報に基づいてＧＤ機能の実行可否を判断した端末であり、
前記Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末は、
前記判断した結果値を前記基地局に伝送し、
前記基地局から前記Ｍ２Ｍグループに対するレンジング情報を受信することを特徴とする項目１に記載の方法。
（項目８）
前記ＧＤで選択された端末が伝送するレンジング（ｒａｎｇｉｎｇ）要請は、前記基地局から割り当てられたレンジングコードであることを特徴とする項目１に記載の方法。
（項目９）
前記レンジング要請に対する応答は、ＡＡＩ−ＲＮＧ−ＡＣＫメッセージを介して伝送されることを特徴とする項目１に記載の方法。
（項目１０）
前記レンジング要請に対する応答は、ｓｕｃｃｅｓｓ、ａｂｏｒｔ、またはｃｏｎｔｉｎｕｅのうち１つのレンジング状態を含むことを特徴とする項目９に記載の方法。
（項目１１）
前記Ｍ２Ｍグループに対する特定イベントを感知したとき、タイマーを始めるステップをさらに含み、
前記ネットワークリエントリーは、前記タイマーの満了前に前記レンジング要請に対する応答を受信する場合に行われることを特徴とする項目１に記載の方法。
（項目１２）
機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続ネットワークの端末であって、
外部と無線信号を送受信するための送受信部と、
前記送受信部と連結される制御部と、
を備え、
前記制御部は、
Ｍ２Ｍグループ代表者（Ｇｒｏｕｐ  Ｄｅｌｅｇａｔｅ；ＧＤ）の選択と関連した情報を基地局から受信するように前記送受信部を制御し、
レンジング要請に対する応答を前記基地局から受信するように前記送受信部を制御し、
前記レンジング要請は、Ｍ２Ｍグループ内の複数の端末のうち、前記Ｇｒｏｕｐ  Ｄｅｌｅｇａｔｅ（ＧＤ）の選択と関連した情報に基づいてＧＤで選択された端末により伝送され、
前記受信した応答に基づいてネットワークリエントリー（Ｎｅｔｗｏｒｋ  ｒｅｅｎｔｒｙ）過程を行うように前記送受信部を制御することを特徴とする端末。
（項目１３）
前記制御部は、
前記受信したＧｒｏｕｐ  Ｄｅｌｅｇａｔｅ（ＧＤ）の選択と関連した情報に対応する前記端末の状態値を前記基地局に伝送するように前記送受信部を制御することを特徴とする項目１２に記載の端末。
（項目１４）
前記Ｇｒｏｕｐ  Ｄｅｌｅｇａｔｅ（ＧＤ）の選択と関連した情報は、ＡＡＩ−ＳＣＤメッセージを介して伝送されることを特徴とする項目１３に記載の端末。
（項目１５）
前記制御部は、
前記受信した情報に基づいてＧＤ機能の実行可否を判断し、
前記判断した結果値を前記基地局に伝送するように前記送受信部を制御することを特徴とする項目１２に記載の端末。
（項目１６）
前記ＧＤで選択されたＭ２Ｍ端末が伝送するレンジング（ｒａｎｇｉｎｇ）要請は、
前記基地局から割り当てられたレンジングコードであることを特徴とする項目１２に記載の端末。
（項目１７）
前記レンジング要請に対する応答は、ＡＡＩ−ＲＮＧ−ＡＣＫメッセージを介して伝送されることを特徴とする項目１２に記載の端末。
【発明の効果】
【００３７】
本発明の実施形態によれば、複数のＭ２Ｍ端末のネットワークアクセスからもたらされるｎｅｔｗｏｒｋ  ｃｏｎｇｅｓｔｉｏｎを低減させることができるという効果がある。また、本発明の実施形態によって効率的なネットワーク資源管理を行うことができる。
【図面の簡単な説明】
【００３８】
【図１】図１は、本発明の実施形態が適用され得る無線接続ネットワークを示した概念図である。
【図２】図２は、本発明の実施形態に係るネットワークリエントリー過程の一例を示したフローチャートである。
【図３】図３は、本発明の実施形態に係るＧＤ選択過程の一例を示したフローチャートである。
【図４】図４は、本発明の実施形態に係るＧＤ再選択過程の一例を示したフローチャートである。
【図５】図５は、本発明の実施形態に係るＭ２Ｍ端末及び基地局の構成ブロック図である。
【発明を実施するための形態】
【００３９】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線通信システムに使用され得る。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で実現され得る。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で実現され得る。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（Ｅｖｏｌｖｅｄ  ＵＴＲＡ）などのような無線技術で実現され得る。ＩＥＥＥ  ８０２．１６ｍは、ＩＥＥＥ  ８０２．１６ｅの進化であり、ＩＥＥＥ  ８０２．１６ｅに基づくシステムとの下位互換性（ｂａｃｋｗａｒｄ  ｃｏｍｐａｔｉｂｉｌｉｔｙ）を提供する。
【００４０】
また、８０２．１６ｐは、機器間通信（Ｍａｃｈｉｎｅ  ＴｙｐｅＣｏｍｍｕｎｉｃａｔｉｏｎ：ＭＴＣ）を支援するための通信規格を提供する。
【００４１】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（Ａｄｖａｎｃｅｄ）は３ＧＰＰ  ＬＴＥの進化である。
【００４２】
本明細書において使用される技術的用語は、単に特定の実施形態を説明するために使用されたものであって、本発明を限定しようとする意図でないことに留意すべきである。また、本明細書において使用される技術的用語は、本明細書において特に他の意味に定義されない限り、本発明の属する技術分野における通常の知識を有した者により一般的に理解される意味として解釈されなければならず、過度に包括的な意味として解釈されるか、過度に縮小された意味として解釈されてはいけない。また、本明細書において使用される技術的な用語が本発明の思想を正確に表現できない誤った技術的用語であるときには、当業者が正しく理解できる技術的用語に代替されて理解されるべきであろう。さらに、本発明において使用される一般的な用語は、辞書に定義されているところにしたがって、或いは前後の文脈上にしたがって解釈されなければならず、過度に縮小された意味として解釈されてはいけない。
【００４３】
また、本明細書において使用される単数の表現は、文脈上明白に異なった意味でない限り、複数の表現を含む。本出願において、「構成される」または「含む」などの用語は、明細書上に記載された種々の構成要素、或いは種々のステップを必ず全て含むものと解釈されてはならず、そのうち一部の構成要素または一部のステップは含まれないこともあり、若しくは追加的な構成要素またはステップをさらに含むことができるものと解釈されなければならない。
【００４４】
また、本明細書において使用される第１、第２などのように、序数を含む用語は、様々な構成要素を説明するのに使用され得るが、上記構成要素は、前記用語により限定されてはいけない。前記用語は、１つの構成要素を他の構成要素から区別する目的のみで使用される。例えば、本発明の権利範囲を外れないながら、第１構成要素は第２構成要素に命名され得るし、同様に、第２構成要素も第１構成要素に命名され得る。
【００４５】
ある構成要素が他の構成要素に「連結されて」いるとか、「接続されて」いると言及されたときには、その他の構成要素に直接連結されているか、または接続されていることもあるが、中間に他の構成要素が存在することもできる。それに対し、ある構成要素が他の構成要素に「直接連結されて」いるか、「直接接続されて」いると言及されたときには、中間に他の構成要素が存在しないものと理解されるべきであろう。
【００４６】
以下、添付された図面を参照して本発明に係る好ましい実施形態を詳細に説明するが、図面符号に関係なく、同一であるか、類似した構成要素は、同じ参照番号を付し、これに対する重複する説明を省略する。また、本発明を説明するにとって、関連した公知技術に関する具体的な説明が本発明の要旨を濁す恐れがあると判断される場合、その詳細な説明を省略する。なお、添付された図面は、本発明の思想を容易に理解できるようにするためのものであり、添付された図面によって本発明の思想が制限されることと解釈されてはいけないことに留意しなければならない。本発明の思想は、添付された図面の他に、全ての変更、均等物ないし代替物にまでも拡張されることと解釈されなければならない。
【００４７】
図１は、本発明の実施形態が適用され得る無線接続ネットワークを示した概念図である。
【００４８】
図１に示すように、無線接続ネットワークは、端末１００、１１０及び基地局２０１、２０２を備える。端末１００、１１０は、固定されるか、移動性を有することができ、ＵＥ（Ｕｓｅｒ  Ｅｑｕｉｐｍｅｎｔ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、ＡＭＳ（Ａｄｖａｎｃｅｄ  Ｍｏｂｉｌｅ  Ｓｔａｔｉｏｎ）等、他の用語と呼ばれることができる。また、端末１００、１１０は、ＭＴＣまたはＭ２Ｍ端末の概念を含む。
【００４９】
基地局２０１、２０２は、一般に、端末１００、１１０と通信する固定された地点（ｆｉｘｅｄ  ｓｔａｔｉｏｎ）をいい、ノードＢ（ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語と呼ばれることができる。１つの基地局２０１または２０２には、１つ以上のセルが存在できる。
【００５０】
以下、明確性のために、ＩＥＥＥ  ８０２．１６標準を中心として本明細書の実施形態が説明されるが、本明細書に開示される発明の技術的思想がこれに制限されるものではない。
【００５１】
本発明の実施形態に係るＭ２Ｍ端末は、１つ以上のＭ２Ｍグループに属することができる。前記Ｍ２Ｍグループは、１つ以上の特性（ｆｅａｔｕｒｅ）を共有するＭ２Ｍ端末のグループである。例えば、前記Ｍ２Ｍグループは、特定の応用サービスが提供される端末の集合でありうる。各Ｍ２Ｍグループは、Ｍ２Ｍグループ識別子（Ｍ２Ｍ  ｇｒｏｕｐ  ＩＤ；ＭＧＩＤ）が割り当てられるが、ＭＧＩＤは、ネットワークエンティティ（ｎｅｔｗｏｒｋ  ｅｎｔｉｔｙ）で特定Ｍ２Ｍグループを独自に識別する。ここで、ネットワークエンティティは一例であって、Ｍ２Ｍサーバでありうる。
【００５２】
Ｍ２Ｍグループ識別子（ＭＧＩＤ）は、ネットワークエンティティ（ｎｅｔｗｏｒｋ  ｅｎｔｉｔｙ）により割り当てられ、初期ネットワーク進入後、ＤＳＡ過程を介してＭ２Ｍ端末のサービスフロー（ｓｅｒｖｉｃｅ  ｆｌｏｗ）に対して割り当てられることができる。または、他の過程を介して割り当てられることもできる。割り当てられたＭＧＩＤは、端末がネットワークを外れるか、またはネットワークがＭＧＩＤと関連したサービスフローを削除しない限り、Ｍ２Ｍ端末に維持される。ＭＧＩＤは、動的サービス変更（ｄｙｎａｍｉｃ  ｓｅｒｖｉｃｅ  ｃｈａｎｇｅ；ＤＳＣ）過程を介して変更されることもできる。
【００５３】
１つのセル内に複数のＭ２Ｍ端末が存在でき、これにより、複数のＭ２Ｍ端末が同時にネットワーク接続を試みることにより、混雑（ｃｏｎｇｅｓｔｉｏｎ）が誘発されることもできる。このようなｃｏｎｇｅｓｔｉｏｎを低減するために、Ｍ２Ｍグループ単位でネットワークリエントリー過程を行う方法を提案する。
【００５４】
図１に示されたＭ２Ｍ端末１００、１１０は、ＧＭ（Ｇｒｏｕｐ  Ｍｅｍｂｅｒ）とＧＤ（Ｇｒｏｕｐ  Ｄｅｌｅｇａｔｅ）とに区分されることができる。
【００５５】
前記ＧＭ１００−ａ、１００−ｂは、Ｍ２Ｍグループに属するＭ２Ｍ端末である。前記ＧＤ（１１０−ａ、１１０−ｂ）は、Ｍ２Ｍグループの代表者として動作するように許可されたＭ２Ｍ端末であり、Ｍ２Ｍグループに対するレンジングアクセスを開始することができる。また、前記ＧＤは、信号品質報告のために、または他のグループとの干渉を低減させるために、当該グループの端末のトラフィック信号をモニターすることができる。また、前記ＧＤは、デコーディング電力を低減するために、下向きリンク（ＤＬ）マルチキャストデータをグループメンバに伝達（ｒｅｌａｙ）することもできる。
【００５６】
基地局は、ＧＤで選択された端末（１１０−ａ、１１０−ｂ）にＭ２Ｍグループのためのレンジングに使用される情報（例えば、ｄｅｄｉｃａｔｅｄ  ｒａｎｇｉｎｇ  ｃｏｄｅ、ｔｉｍｅ  ｏｆｆｓｅｔなど）を割り当てることができる。Ｍ２Ｍグループが報告するデータがあるとき、ＧＤは、Ｍ２Ｍグループのためのレンジング要請（例えば、レンジングコード）を基地局に伝送する。このとき、ＧＤが伝送するレンジングコードは、レンジングコード集合（ｓｅｔ）で選択した、ＭＧＩＤに基づくレンジングコードでありうる。
【００５７】
基地局は、前記ＧＤが伝送したレンジング要請に対する応答をＭ２Ｍグループ内の全ての端末に伝送し、Ｍ２Ｍグループ内の端末は、前記応答に基づいてネットワークリエントリー（ｎｅｔｗｏｒｋｒｅｅｎｔｒｙ）過程を行う。
【００５８】
以下、図２ないし図４によってＧＤを介してのＭ２Ｍグループ端末のネットワークリエントリー過程を詳細に説明する。
【００５９】
図２は、本発明の実施形態に係るネットワークリエントリー過程の一例を示したフローチャートである。
【００６０】
図２に示されたＧＭ１００は、同じＭ２Ｍグループに属するＭ２Ｍ端末であり、基地局２００は、ＧＤ  ｓｃｈｅｍｅを支援することができる。
【００６１】
以下に詳述される本発明の実施形態によれば、ＧＤ  ｓｃｈｅｍｅを用いてＭ２Ｍグループに対するネットワークリエントリー過程を行うことができる。
【００６２】
まず、同じＭ２Ｍグループに属した端末（すなわち、ＧＭｓ）のうち、１つまたは１つ以上の端末を当該Ｍ２ＭグループのＤｅｌｅｇａｔｅとして選択する（Ｓ１１０）。前記Ｇｒｏｕｐ  Ｄｅｌｅｇａｔｅの選択過程は、図３において詳細に説明する。前記ＧＤ選択過程に先立ち、前記ＧＭ１００は、前記基地局２００のＧＤ  ｓｃｈｅｍｅ支援可否を前記基地局２００から受信することができる。
【００６３】
前記基地局２００は、前記Ｓ１１０過程を介して選択されたＧＤ１１０に当該Ｍ２Ｍグループに対するレンジングに必要な情報を割り当てることができる。ここで、前記レンジングに必要な情報は、ｄｅｄｉｃａｔｅｄ  ｒａｎｇｉｎｇ  ｃｏｄｅ、ｔｉｍｅ  ｏｆｆｓｅｔ  ｏｆ  ｒａｎｇｉｎｇなどを含むことができる。
【００６４】
この後、前記Ｍ２Ｍグループの端末が報告するデータがあるとき、ＧＤ１１０は、前記Ｍ２Ｍグループに対するレンジング要請（例えば、レンジングコード）を基地局２００に伝送する（Ｓ１２０）。このとき、前記レンジング要請は、レンジングコード集合（ｓｅｔ）で選択した、ＭＧＩＤに基づくレンジングコードでありうる。
【００６５】
前記レンジング要請を受信した基地局２００は、前記レンジング要請に対する応答（例えば、ＡＡＩ−ＲＮＧ−ＡＣＫメッセージ）をＭ２Ｍグループ内の全ての端末に伝送する（Ｓ１３０）。ここで、前記レンジング要請に対する応答は、前記レンジングコードに対するｔｉｍｅ、ｐｏｗｅｒ、ｃｏｎｔｒｏｌ情報を含むことができ、前記コードの受信時間と関連した情報（例えば、フレームナンバー、サブフレームナンバー、ｏｐｐｏｒｔｕｎｉｔｙ  ｉｎｄｅｘなど）、またはグループページングの分散のための情報（例えば、ｗｉｎｄｏｗ  ｓｉｚｅ、ｔｉｍｅ  ｏｆｆｓｅｔなど）をさらに含むこともできる。
【００６６】
また、前記レンジング要請に対する応答は、レンジング状態（ｓｔａｔｕｓ）を含むことができる。例えば、前記レンジング状態は、「成功（ｓｕｃｃｅｓｓ）」、「中断（ａｂｏｒｔ）」、「継続（ｃｏｎｔｉｎｕｅ）」でありうる。
【００６７】
前記応答を受信したＧＭ１００は、前記応答に基づいてネットワークリエントリー手順を行う（Ｓ１４０）。
【００６８】
例えば、もし、前記レンジング状態が「成功（ｓｕｃｃｅｓｓ）」である場合、全てのＧＭは、ネットワークリエントリー手順を始めることができる。もし、前記レンジング状態が「中断（ａｂｏｒｔ）」である場合、全てのＧＭは、中断タイマー（ａｂｏｒｔ  ｔｉｍｅｒ）を始め、前記タイマーが満了されるまでネットワークリエントリー手順を中断する。前記タイマー満了後には、ＧＤを介してのレンジング手順を再度始める。もし、前記レンジング状態が「継続（ｃｏｎｔｉｎｕｅ）」である場合、ＧＤは、当該パラメータを適宜調整し、レンジング過程を実行し続ける。
【００６９】
上述したＧＤ  ｓｃｈｅｍｅを用いたネットワークリエントリー過程で、所定のタイマー（例えば、Ｔ３２タイマー）が使用され得る。前記タイマーは、Ｍ２Ｍグループに特定イベントが発生すれば始まる。前記タイマーの時間内で各ＧＭは、ＡＡＩ−ＲＮＧ−ＡＣＫメッセージを待つ。このとき、ＡＡＩ−ＲＮＧ−ＡＣＫメッセージは、Ｍ２ＭグループのＧＤが伝送したレンジングコードに対する応答である。もし、各ＧＭがＡＡＩ−ＲＮＧ−ＡＣＫメッセージを受信すれば、各ＧＭは、ネットワークリエントリーのための次の動作を始める。もし、各ＧＭがＡＡＩ−ＲＮＧ−ＡＣＫメッセージを受信できなければ、タイマー満了後にそれぞれ自律的にリエントリー過程を行う。
【００７０】
図３は、本発明の実施形態に係るＧＤ選択過程の一例を示したフローチャートである。
【００７１】
まず、ＧＭ１００は、ＧＤ  Ｓｃｈｅｍｅを支援する基地局からＧＤ  ｓｅｌｅｃｔｉｏｎと関連した情報を受信する（Ｓ１１２）。このとき、前記ＧＤ  ｓｅｌｅｃｔｉｏｎと関連した情報は、ＧＤの選択基準（ｃｒｉｔｅｒｉｏｎ）、前記選択基準の優先順位、及び前記各選択基準のしきい値（ｔｈｒｅｓｈｏｌｄ  ｖａｌｕｅ）などでありうる。ここで、前記選択基準は、供給電力のタイプ（例えば、バッテリーであるか、それとも有線供給電力であるか）でありうる。または、前記選択基準は、バッテリー残量でありうる。或いは、前記選択基準は、基地局と端末との間のリンク品質であることができ、若しくは、端末の地理的位置が前記選択基準であることもできる。前記ＧＤ  ｓｅｌｅｃｔｉｏｎと関連した情報は、初期ネットワークエントリー過程で各ＧＭに伝達されることができる。
【００７２】
前記ＧＤ  ｓｅｌｅｃｔｉｏｎと関連した情報を受信したＧＭは、当該選択基準に関連した自分の状態値を前記基地局２００に伝送する（Ｓ１１４）。このとき、前記情報は、ＡＡＩ−ＲＥＮ−ＲＥＱ、ＡＡＩ−ＳＢＣ−ＲＥＱ、ＡＡＩ−ＲＥＧ−ＲＥＧメッセージを介して伝送され得る。
【００７３】
前記各ＧＭの状態値を受信した基地局２００は、受信した状態値に基づいてＧＤを選択することができる。例えば、最もリンク品質の優れた端末をＧＤで選択することができる。
【００７４】
基地局は、選択されたＧＤにＭ２Ｍグループに対するレンジングに必要な情報を送信する（Ｓ１１８）。前記レンジングに必要な情報は、指定レンジングコード（ｄｅｄｉｃａｔｅｄ  ｒａｎｇｉｎｇ  ｃｏｄｅ）、タイムオフセット、周波数オフセットなどでありうる。このとき、前記レンジングに必要な情報は、ＡＡＩ−ＲＥＮ−ＲＳＰ、ＡＡＩ−ＳＢＣ−ＲＳＰ、ＡＡＩ−ＲＥＧ−ＲＳＰメッセージを介して伝送されることができ、新しく定義したＭＡＣメッセージを介して伝送されることもできる。
【００７５】
以下では、ＧＭ及び基地局がＧＤを選択する他の実施形態を説明する。
【００７６】
各ＧＭは、ＧＤ選択基準に関する情報を初期ネットワークエントリー過程で受信する。この後、基地局がＧＤ  Ｓｃｈｅｍｅを支援すれば、各ＧＭは、ＧＤで動作しなければならないか否かを判断するために、ランダムに発生させた値（例えば、ｐ値）を基地局に伝送する。基地局は、受信した前記ランダム発生値を用いてＧＤを選択する。このとき、前記ランダム発生値は、各ＧＭの状態に基づいて発生された値でありうるし、基地局は、ＧＤ選択のための特定数式に前記ランダム発生値を入力してＧＤを選択することができる。
【００７７】
ＧＭ及び基地局がＧＤを選択するさらに他の実施形態として、各ＧＭは、基地局からブロードキャストされた特定値（例えば、α値）を受信する。各ＧＭは、前記特定値を所定の数式に入力して計算された結果に基づいてＧＤで動作するか否かを決定する。この場合、ＧＤで決定された端末は、基地局にその結果を伝送し、このとき、ＡＡＩ−ＲＥＮ−ＲＥＱ、ＡＡＩ−ＳＢＣ−ＲＥＱ、ＡＡＩ−ＲＥＧ−ＲＥＧメッセージが用いられ得る。
【００７８】
図４は、本発明の実施形態に係るＧＤ再選択過程の一例を示したフローチャートである。
【００７９】
特定状況でＧＤを再選択しなければならない場合が生じ得る。予め選択されたＧＤがハードウェアまたはソフトウェアの問題で誤動作（ｍａｌｆｕｎｆｃｔｉｏｎ）する場合、予め選択されたＧＤと基地国との間のリンク品質が低下される場合、または予め選択されたＧＤのバッテリーレベルが非常に低くなる場合などがその例である。
【００８０】
ＧＤ再選択手順は、基地局がＧＤ再選択開始を知らせるメッセージを伝送した後に始まることができる。
【００８１】
ＧＭは、各端末の状態に基づいてＧＤ再選択のためのランダム値を生成するが、前記値は、ＧＤ選択のシード（ｓｅｅｄ）である。前記ランダム値は基地局に伝送され得る。前記伝送は、ネットワークエントリー過程でなされることができ、このとき、ＡＡＩ−ＲＮＧ−ＲＥＱメッセージが使用され得る。
【００８２】
前記ランダム値を受信した基地局は、どの端末がＧＤで動作するか決定する。前記決定は、種々の要素に基づいて行われ得る。例えば、端末の位置、特定アルゴリズム、リンク品質、バッテリー残量などに基づいて前記決定が行われ得る。このとき、もし、アルゴリズムを用いてＧＤを決定する場合、端末が伝送したランダム値がそのシードとなり得る。基地局は、ＧＤ選択の結果をＧＭに通知することができるが、このとき、ＡＡＩ−ＲＮＧ−ＲＳＰメッセージが使用され得る。
【００８３】
ＧＤ再選択基準間には優先順位が存在できる。もし、バッテリー残量が重要な場合であれば、各ＧＭは、周期的に自分のバッテリーレベルを報告することができる。このような報告周期及び手順は予め定義されなければならない。
【００８４】
もし、リンク品質が重要であれば、基地局は、各端末の最近通信履歴をチェックしてＧＤを決定することができる。このような場合、端末の追加的な動作は省略され得る。
【００８５】
もし、端末の位置が重要であれば、基地局は、既存に有していた各端末の位置履歴に基づいてＧＤを決定することができる。
【００８６】
ＧＤ動作をするように特定された端末に優先順位をおく場合であれば、基地局は、他のＧＤ専用端末を選択する。または、網運営者が次順位ＧＤを予め指定することができ、このような場合には、報知メッセージ伝送が必要である。
【００８７】
ＧＤ再選択を端末が決定する場合であれば、各ＧＤ選択基準のしきい値を満たす端末のみがＧＤ候補要請を基地局に伝送することができる。
【００８８】
図４では、上述したＧＤ再選択手順の一例を示す。
【００８９】
基地局２００は、ＧＤ再選択と関連した情報を含むメッセージを全てのＧＭ１００に伝送する（Ｓ４１０）。前記メッセージには再選択基準、優先順位などが含まれ得る。このとき、前記メッセージはＡＡＩ−ＳＣＤメッセージでありうる。
【００９０】
前記基地局２００は、予め選択されたＧＤ１１０と周期的に信号を送受信してＧＤの動作状態を確認する（Ｓ４２０）。
【００９１】
もし、ＧＤに誤動作等の問題が生じ、前記周期的確認にエラーが生じた場合、前記基地局２００は、ＧＤ再選択を指示するメッセージを送信する（Ｓ４４０）。前記メッセージを受信したＧＭ１００は、ＧＤ再選択基準と関連した自分の状態値を伝送する（Ｓ４５０）。このとき、ＧＤで動作できる端末のみが前記伝送を行うこともできる。
【００９２】
ＧＭ１００から前記状態値を受信した基地局２００は新しいＧＤを決定することができる（Ｓ１１０）。このとき、ＧＤ選択基準の優先順位が適用され得る。ＧＤが決定されれば、前記基地局２００は、新しく選択されたＧＤをＧＭに通知することができる（Ｓ４６０）。
【００９３】
図５は、本発明の実施形態に係るＭ２Ｍ端末及び基地局の構成ブロック図である。
【００９４】
図５に示されたように、Ｍ２Ｍデバイス１００は、格納部１０１、制御部１０２、及び送受信部１０３を備えるように構成され、前記基地局２００は、格納部２０１、制御部２０２、及び送受信部２０３を備えるように構成される。
【００９５】
前記格納部１０１、２０１は、図２〜図４に示された方法を各々格納し、前記制御部１０２、２０２は、前記格納部１０１、２０１に格納された前記方法を実行することにより、前記格納部１０１、２０１及び前記送受信部１０３、２０３を制御する。
【００９６】
以上で説明された実施形態は、本発明の構成要素と特徴が所定形態で結合されたものである。各構成要素または特徴は、別の明示的言及がない限り、選択的なものと考慮されなければならない。各構成要素または特徴は、他の構成要素や特徴と結合されない形態で実施され得る。また、一部構成要素及び／又は特徴を結合して本発明の実施形態を構成することも可能である。本発明の実施形態において説明される動作などの順序は変更され得る。ある実施形態の一部構成や特徴は、他の実施形態に含まれることができ、或いは、他の実施形態の対応する構成または特徴と交替され得る。特許請求の範囲において明示的な引用関係がない請求項を結合して実施形態を構成したり、出願後の補正により新しい請求項として含めることができることは自明である。
【００９７】
本発明は、本発明の精神及び必須的特徴を逸脱しない範囲で他の特定の形態で具体化され得る。したがって、上記の詳細な説明は、全ての面で制限的に解釈されてはならず、例示的なものと考慮されなければならない。本発明の範囲は、添付された請求項の合理的解釈により決定されなければならず、本発明の等価的範囲内での全ての変更は本発明の範囲に含まれる。また、特許請求の範囲で明示的な引用関係がない請求項を結合して実施形態を構成したり、出願後の補正により新しい請求項として含めることができる。
【図１】
0005753631.tif 000002
【図２】
0005753631.tif 000003
【図３】
0005753631.tif 000004
【図４】
0005753631.tif 000005
【図５】
0005753631.tif 000006